(57)【特許請求の範囲】
【請求項１】
駆動源となるモータと、該モータを把持する樹脂製Ｓホルダを収納するアルミ製ハウジングと、前記モータを起動又は停止させるスイッチを有し、少なくとも一端が前記アルミ製ハウジングに取付けられる樹脂製ハンドルと、前記モータの回転数を制御する制御回路と、該制御回路を収納する樹脂製ケースとを有し、該樹脂製ケースを前記アルミ製ハウジング内に収納し、該樹脂製ケースを前記アルミ製ハウジングの一部と前記アルミ製ハウジングに取り付けられる樹脂製テールカバーとによってサンドイッチすることで固定したことを特徴とする電動工具。
【請求項２】
前記アルミ製ハウジングに設けられた横穴に挿入され前記樹脂製ケースと連通する樹脂製スリーブを設け、前記制御回路のリード線を前記樹脂製ケースと前記樹脂製スリーブを介して前記樹脂製ハンドル内に導くようにしたことを特徴とする請求項１記載の電動工具。
【請求項３】
前記樹脂製ケースは前記制御回路を一体化する第１樹脂製ケースと、該第１樹脂製ケースを収納する第２樹脂製ケースから構成されることを特徴とする請求項１記載の電動工具。
【請求項４】
前記樹脂製ケースの下部には前記モータのリード線案内部が設けられ、該案内部によってリード線を前記アルミ製ハウジングの底を通して前記制御回路に配線することを特徴した請求項１記載の電動工具。
【請求項５】
前記樹脂製ケースに凸部を設けると共に、該樹脂製スリーブに角穴を設け、前記凸部が前記角穴に嵌合することで、前記樹脂製スリーブを前記横穴内で固定することを特徴とする請求項２記載の電動工具。
【発明の詳細な説明】
【０００１】
【発明の属する技術分野】
本発明は、アルミ製のハウジングを有し、更にモータの回転数を調整する等の制御回路を有する電動工具の二重絶縁構造に関するものである。
【０００２】
【従来の技術】
従来の回転数を調整する等の制御回路を有する電動工具のうち、例えば電気ハンマの場合には、ハウジングを樹脂製にしたり、制御回路を樹脂製ハンドル部に内蔵して、リード線にビニールチューブをかぶせるなどして二重絶縁を行っていた。
【０００３】
【発明が解決しようとする課題】
上記した従来の電気ハンマにおいては、ハウジングが樹脂であるため傷が付きやすく、更に落下や転倒などの衝撃に弱い構造となっていた。特に、打撃力の大きい電気ハンマにおいては、モーターのコアずれや断線を生じ易かった。更に、ネジの締め付けトルクを大きく取れないため、グリース漏れを発生する恐れもあった。また、アルミ製ハウジングにし、樹脂製ハンドル部内に制御回路を内蔵すると、モーターから回転数等を検出するセンサー等を制御回路本体から分離する必要があり、配線がより複雑困難になっていた。更に、ハウジング内に配線、又は制御回路を内蔵するために樹脂製のケースやスリーブを設けた場合、ネジなどで固定する必要があった。
【０００４】
本発明の目的は、上記問題を解消し、この種の二重絶縁構造の組立性と耐振性、更に収納される制御回路の冷却効果の向上を図れる電動工具を提供することである。
【０００５】
【課題を解決するための手段】
上記目的は、ハウジングをアルミ製にし、配線経路及び制御回路の収納される空間を樹脂製ケース及び樹脂製スリーブで覆い、センサを一体化した回路をハウジング内に内蔵することにより達成される。また、樹脂製ケースをハウジングと樹脂製テールカバで挟んで固定し、その樹脂製ケースに樹脂製スリーブを勘合させることにより、ネジなど必要なくハウジングに固定することが達成される。
【０００６】
【発明の実施の形態】
以下、本実施例における電気ハンマの二重絶縁構造の一実施例を図１〜図６を用いて説明する。制御回路１は、樹脂製ケース（Ａ）２内にセンサと共に一体化されている。ハウジング３に収納されたＳホルダ１２に把持されたモータからのリード線４は、このハウジング３の横穴３ａを通さず、まっすぐハウジング３の底に導き、樹脂製ケース（Ｂ）５のリード線案内部５ａの角穴５ｂを通して制御回路１に接続される。前記制御回路１は、樹脂製ケース（Ｂ）５に収納され、更にハウジング３に収納される。この時、樹脂製ケース（Ｂ）５の凸部５ｃは、ハウジング３の角穴３ｂに勘合すると共に、ハウジング３の横穴３ａに挿入された樹脂製スリーブ６の角穴６ａにも勘合し、樹脂製スリーブ６をハウジング３の横穴３ａ内に固定している。更に前記樹脂製ケース（Ｂ）５は、前記ハウジング３に取り付けられる樹脂製テールカバー１０によって、該ハウジング３との間にサンドイッチされることにより、該ハウジング３内に固定される。ここで、樹脂製テールカバー１０には凸部（リブ）が形成されており、樹脂製ケース（Ｂ）５を所定の位置に取付ける際、この凸部を弾性変形させることで、より樹脂製ケース（Ｂ）５の位置決めを確実に行っている。また、前記制御回路１のリード線１ｃは前記樹脂製ケース（Ｂ）５の凸部５ｃに設けられた角穴５ｄから前記樹脂製スリーブ６を通って樹脂製ハンドル７内に導かれ、電源コード９、スイッチ８に接続される。前記樹脂製ケース（Ａ）２の左右の壁２ａは、上下の壁２ｂより高くなっており、前記樹脂製ケース（Ｂ）５に収納した際、前記制御回路１の放熱板１ａ上に一定の空間を確保している。更にモーターの回転子１１に取り付けたファン１１ａによって、前記テールカバー１０の風穴１０ａから吸い上げられる冷却風が前記放熱板１ａ上の空間を下から上に流れる構造になっている。また、前記樹脂製ケース（Ａ）２の左右の壁２ａのダイヤル１ｂから遠い側には、更に横方向のリブ２ｃが設けられており、前記樹脂製ケース（Ｂ）５の案内部５ｂから導かれたリード線４の通る空間を確保すると共に、該ダイヤル１ｂを指で動かす際、該ダイヤル１ｂが前記ハウジング３内に押し込まれないよう前記制御回路１を支持している。
【０００７】
【発明の効果】
本発明によれば、モータからのリード線をまっすぐハウジングの底に導き、制御回路に配線ができると共に、二重絶縁のための樹脂製ケースやスリーブを互いに勘合させ、テールカバでハウジングとの間にサンドイッチすることで固定できるので、配線・組立作業が容易な電気ハンマの二重絶縁構造を提供することができる。また、ケースの左右の壁のより放熱板上に一定の空間を設け、テールカバーの風穴からモータのファンにより冷却風を取り込むことによって、制御回路の冷却効果に優れた電気ハンマの二重絶縁構造を提供できる。更に、ケースに設けたリード線の案内部とケースのリブによるリード線を通す空間でリード線を把持し、電気ハンマの振動からリード線を保護することによって、耐振性に優れた電気ハンマの二重絶縁構造を提供できる。更に、外郭周りがアルミ製ハウジングでありながら二重絶縁構造としたため、モータのコアずれや断線、落下転倒時の剛性の問題についても改善される。
【図面の簡単な説明】
【図１】  本発明になる電気ハンマの二重絶縁構造を示す断面図である。
【図２】  図１のテールカバー外した状態でＢ方向から見た矢視図である。
【図３】  図１のＡ−Ａ線断面図である。
【図４】  本発明になる制御回路の外観斜視図である。
【図５】  本発明になる樹脂製ケース（Ｂ）の外観斜視図である。
【図６】  本発明になる樹脂製スリーブの外観斜視図である。
【符号の説明】
１は制御回路、１ａは制御回路の放熱板、１ｂはダイヤル、１ｃは制御回路のリード線、２は樹脂製ケース（Ａ）、２ａはケース（Ａ）の左右の壁、２ｂはケース（Ａ）の上下の壁、２ｃはケース（Ａ）のリブ、３はアルミ製ハウジング、３ａはハウジングの横穴、３ｂはハウジングの角穴、４はモーターからのリード線、５は樹脂製ケース（Ｂ）、５ａはケース（Ｂ）のリード線案内部、５ｂはリード線案内部の角穴、５ｃはケース（Ｂ）の凸部、５ｄは凸部の角穴、６は樹脂製スリーブ、６ａはスリーブの角穴、７は樹脂製ハンドル、８はスイッチ、９は電源コード、１０は樹脂製テールカバー、１０ａはテールカバーの風穴、１１は回転子、１１ａはファン、１２はＳホルダである。
【図１】
0003820762.tif 000002
【図２】
0003820762.tif 000003
【図３】
0003820762.tif 000004
【図４】
0003820762.tif 000005
【図５】
0003820762.tif 000006
【図６】
0003820762.tif 000007